(57)【要約】【課題】アドレス情報に応じて受信動作を設定する手間を要することなく、受信動作を多様に制御することができる受信制御装置を提供すること。【解決手段】通信相手のアドレス情報が登録されたアドレスリストを記憶するアドレスリスト記憶手段１１０と、受信動作情報をアドレスリストに対応して予め記憶する受信動作情報記憶手段１３０と、通信相手のアドレス情報と一致するナドレス情報を含むアドレスリストに基づいて受信動作情報を取得する受信動作情報取得手段１３８と、取得された受信動作情報に基づいた受信動作を実行する受信動作実行手段１４０と、利用者による操作に基づいて算出された通信相手のアドレス情報に対する評価値をアドレス情報と対応させて累積して記憶する評価値記憶手段１６５と、記憶された評価値に基づいてアドレスリストに登録されたアドレス情報の登録先を変更するアドレス情報登録変更手段１６８とを備える。【選択図】図１
2006185382.tif 000002
【特許請求の範囲】
【請求項１】
ネットワークを介した通信相手のアドレス情報が登録されたアドレスリストを記憶するアドレスリスト記憶手段と、
前記ネットワークを介して送信された通信情報を受信する通信情報受信手段と、
前記通信情報受信手段によって受信された通信情報から前記アドレス情報を取得するアドレス情報取得手段と、
前記通信情報受信手段によって前記通信情報が受信されたときの受信動作を表す受信動作情報を前記アドレスリストに対応して予め記憶する受信動作情報記憶手段と、
前記アドレス情報取得手段によって取得されたアドレス情報と一致するアドレス情報を含むアドレスリストを検出するアドレスリスト検出手段と、
前記アドレスリスト検出手段によって検出されたアドレスリストに基づいて前記受信動作情報記憶手段に記憶された受信動作情報を取得する受信動作情報取得手段と、
前記受信動作情報取得手段によって取得された受信動作情報に基づいた受信動作を実行する受信動作実行手段と、
前記通信情報受信手段による前記通信情報の受信に応じた利用者による操作に基づいて前記アドレス情報取得手段によって取得されたアドレス情報に対する評価値を算出する評価値算出手段と、
前記評価値算出手段によって算出された評価値を前記アドレス情報と対応させて累積して記憶する評価値記憶手段と、
前記評価値記憶手段に記憶された評価値に基づいて前記アドレスリストに登録されたアドレス情報の登録先を変更するアドレス情報登録変更手段と、
を備えたことを特徴とする受信制御装置。
【請求項２】
前記アドレスリスト検出手段によってアドレスリストが検出されなかった場合には、前記アドレス情報登録変更手段が、前記アドレスリスト記憶手段に記憶されたアドレスリストのうち予め定められたアドレスリストに前記アドレス情報取得手段によって取得されたアドレス情報を登録するようにしたこと
を特徴とする請求項１に記載の受信制御装置。
【請求項３】
前記受信動作実行手段が、画像を表示する画像表示部を有し、
前記受信動作情報が、前記通信情報受信手段によって受信された通信情報に関する情報を前記画像表示部によって画像表示する受信動作を表す情報を含むこと
を特徴とする請求項１または請求項２に記載の受信制御装置。
【請求項４】
前記受信動作実行手段が、音声を出力する音声出力部を有し、
前記受信動作情報が、前記通信情報受信手段によって通信情報が受信された旨を前記音声出力部によって音声出力する受信動作を表す情報を含むこと
を特徴とする請求項１乃至請求項３の何れかに記載の受信制御装置。
【請求項５】
前記受信動作実行手段が、前記受信制御装置に振動を与える装置振動部を有し前記受信動作情報が、前記通信情報受信手段によって通信情報が受信された際に前記装置振動部によって前記受信制御装置に振動を与える受信動作を表す情報を含むこと
を特徴とする請求項１乃至請求項４の何れかに記載の受信制御装置。
【請求項６】
前記受信動作実行手段が、前記通信情報受信手段によって受信された通信情報を廃棄する通信情報廃棄部を有し、
前記受信動作情報が、前記通信情報受信手段によって受信された通信情報を前記通信情報廃棄部によって廃棄する受信動作を表す情報を含むこと
を特徴とする請求項１乃至請求項５の何れかに記載の受信制御装置。
【請求項７】
前記受信動作実行手段が、前記アドレス情報取得手段によって取得されたアドレス情報に基づいて返信情報を生成する返信情報生成部と、
前記ネットワークを介して前記返信情報を送信する返信情報送信部とを有し、
前記受信動作情報が、前記返信情報生成部によって生成された返信情報を前記通信情報送信部によって送信する受信動作を表す情報を含むこと
を特徴とする請求項１乃至請求項６の何れかに記載の受信制御装置。
【請求項８】
前記通信情報受信手段によって受信された通信情報を記憶する複数の通信情報記憶手段を備え、
前記受信動作実行手段が、前記通信情報受信手段によって受信された通信情報を記憶する前記通信情報記憶手段を少なくとも1つ以上選択する記憶手段選択部を有し、
前記受信動作情報が、前記記憶手段選択部によって前記通信情報記憶手段を選択する受信動作を表す情報を含むこと
を特徴とする請求項１乃至請求項７の何れかに記載の受信制御装置。
【請求項９】
前記評価値算出手段による評価値の算出が、前記通信情報受信手段によって受信された通信情報が前記利用者によって閲覧されるまでの時間に基づいて行われるようにしたこと
を特徴とする請求項１乃至請求項８の何れかに記載の受信制御装置。
【請求項１０】
前記評価値算出手段による評価値の算出が、前記通信情報受信手段によって受信された通信情報が前記利用者によって廃棄されたか否かに基づいて行われるようにしたこと
を特徴とする請求項１乃至請求項９の何れかに記載の受信制御装置。
【請求項１１】
前記評価値算出手段による評価値の算出が、前記通信情報受信手段によって受信された通信情報の通信相手に前記利用者が通信情報を送信したか否かに基づいて行われるようにしたこと
を特徴とする請求項１乃至請求項１０の何れかに記載の受信制御装置。
【請求項１２】
前記評価値算出手段による評価値の算出が、前記通信情報受信手段による通信情報の受信と同一の相手からの通信情報の受信回数と、前記通信情報受信手段によって受信された通信情報の通信相手に対する前記利用者による通信情報の送信回数に基づいて行われるようにしたこと
を特徴とする請求項１乃至請求項１１の何れかに記載の受信制御装置。
【請求項１３】
前記評価値算出手段による評価値の算出が、前記通信情報受信手段による通信情報の受信時間と、前記通信情報受信手段によって受信された通信情報の通信相手に対する前記利用者による通信情報の送信時間との差分に基づいて行われるようにしたこと
を特徴とする請求項１乃至請求項１２の何れかに記載の受信制御装置。
【請求項１４】
前記ネットワーク上のサーバ装置に、アドレスリストに登録されたアドレス情報を送信するアドレス情報送受信手段
を備えたことを特徴とする請求項１乃至請求項１３の何れかに記載の受信制御装置。
【請求項１５】
前記ネットワーク上のサーバ装置から、アドレスリストに登録するアドレス情報を受信するアドレス情報送受信手段
を備えたことを特徴とする請求項１乃至請求項１４の何れかに記載の受信制御装置。
【発明の詳細な説明】
【技術分野】
【０００１】
本発明は、受信制御装置に関し、例えば、携帯電話機やパーソナルコンピュータなどの通信端末を構成し、通信相手の電話番号やメールアドレス等のアドレス情報に応じて受信動作を制御する受信制御装置に関するものである。
【背景技術】
【０００２】
電話、電子メール、およびＩＰ電話等のネットワークを介した通信サービスを利用する際に用いられる携帯電話機やパーソナルコンピュータなどの通信端末の機能として、通信相手のアドレス情報に基づいて特定の通信相手からの受信を拒否するものや、特定の通信相手からの受信のみを許容する等の受信動作を制御するものがある。
例えば、着信を拒否する発信側の電話番号および発信者名の情報が記録されるブラックリストテーブルを有し、発信側の電話番号および発信者名の情報を受信し、受信された発信側の電話番号および発信者名の情報が記録されるユーザテーブルに既に記録されている発信側の電話番号および発信者名の情報を参照し、発信側の電話番号または発信者名のうち一方が異なることを検出し、発信側の電話番号または発信者名のうち一方が異なることの検出が一定期間内に検出する回数が所定値を超えると受信手段により受信された発信側の電話番号および発信者名をブラックリストテーブルに記録し、発信側の電話番号または発信者名がブラックリストテーブルに記録されているときに、発信側からの着信に応答するのを拒否するようにし、発信者が発信者番号または発信名のどちらか一方を変更した場合でも対応するようにしたものがある（特許文献１参照。）。
【０００３】
特許文献１に記載されたものでは、通信相手に応じて受信の拒否および許容が設定されるが、さらに、発信元のアドレス情報に応じて着信音を変更したり、携帯電話機に振動を与えたりして、利用者に対する通信情報受信の通知方法を変化させるよう受信動作を多様に制御するものも知られている。
例えば、メールの発信元がアドレス帳に登録してある場合に、予めアドレス帳の各メールアドレスに対応して設定された着信音で鳴動してメールの受信を通知し、アドレス帳に登録されている送信者に応じてメール受信の着信音を変更して通知するものがある（特許文献２参照。）。
【特許文献１】特開２００３−１７９６８４号公報
【特許文献２】特開２００２−２４４９８０号公報
【発明の開示】
【発明が解決しようとする課題】
【０００４】
しかしながら、前述したような従来の技術では、暗黙かつ自動的な処理により利用者の意図に反した動作を実行する恐れがあった。また、ホワイトリストやブラックリストといった明示的なアクセス制御技術では、アドレス情報に応じて受信動作を多様に制御する場合には、各アドレス情報に対する受信動作の設定に手間を要するといった問題があった。
本発明は、このような問題を解決するためになされたもので、アドレス情報に応じて受信動作を設定する手間を要することなく、アドレス情報に応じて受信動作を多様に制御することができる受信制御装置を提供することを目的とする。
【課題を解決するための手段】
【０００５】
本発明の請求項１に係る受信制御装置は、ネットワークを介した通信相手のアドレス情報が登録されたアドレスリストを記憶するアドレスリスト記憶手段と、前記ネットワークを介して送信された通信情報を受信する通信情報受信手段と、前記通信情報受信手段によって受信された通信情報から前記アドレス情報を取得するアドレス情報取得手段と、前記通信情報受信手段によって前記通信情報が受信されたときの受信動作を表す受信動作情報を前記アドレスリストに対応して予め記憶する受信動作情報記憶手段と、前記アドレス情報取得手段によって取得されたアドレス情報と一致するアドレス情報を含むアドレスリストを検出するアドレスリスト検出手段と、前記アドレスリスト検出手段によって検出されたアドレスリストに基づいて前記受信動作情報記憶手段に記憶された受信動作情報を取得する受信動作情報取得手段と、前記受信動作情報取得手段によって取得された受信動作情報に基づいた受信動作を実行する受信動作実行手段と、前記通信情報受信手段による前記通信情報の受信に応じた利用者による操作に基づいて前記アドレス情報取得手段によって取得されたアドレス情報に対する評価値を算出する評価値算出手段と、前記評価値算出手段によって算出された評価値を前記アドレス情報と対応させて累積して記憶する評価値記憶手段と、前記評価値記憶手段に記憶された評価値に基づいて前記アドレスリストに登録されたアドレス情報の登録先を変更するアドレス情報登録変更手段と、を備えている。
【０００６】
この構成により、アドレスリストに対応して受信動作を予め記憶しておき、受信した通信情報に対する利用者による操作に基づいてアドレス情報の登録先を変更するため、アドレス情報に応じて受信動作を設定する手間を要することなく、アドレス情報に応じて受信動作を多様に制御することができる。
本発明の請求項２に係る受信制御装置は、請求項１において、前記アドレスリスト検出手段によってアドレスリストが検出されなかった場合には、前記アドレス情報登録変更手段が、前記アドレスリスト記憶手段に記憶されたアドレスリストのうち予め定められたアドレスリストに前記アドレス情報取得手段によって取得されたアドレス情報を登録するようになっている。
【０００７】
この構成により、請求項１の効果に加えて、新たな通信相手のアドレス情報が検出された場合には、予め定められたアドレスリストに登録し、この登録されたアドレス情報を伴って送信された通信情報に対する利用者による操作に基づいて新たに登録されたアドレス情報の登録先を変更するため、新たな通信相手のアドレス情報を登録するアドレスリストを利用者に選択させる手間を削減することができる。
本発明の請求項３に係る受信制御装置は、請求項１または請求項２において、前記受信動作実行手段が、画像を表示する画像表示部を有し、前記受信動作情報が、前記通信情報受信手段によって受信された通信情報に関する情報を前記画像表示部によって画像表示する受信動作を表す情報を含む。
【０００８】
この構成により、請求項１または請求項２の効果に加えて、受信動作として画像表示を変化させることができるため、画像表示の有無、および画像表示方法によって受信動作を多様に制御することができる。
本発明の請求項４に係る受信制御装置は、請求項１乃至請求項３の何れかにおいて、前記受信動作実行手段が、音声を出力する音声出力部を有し、前記受信動作情報が、前記通信情報受信手段によって通信情報が受信された旨を前記音声出力部によって音声出力する受信動作を表す情報を含む。
【０００９】
この構成により、請求項１乃至請求項３の何れかの効果に加えて、受信動作として音声出力を変化させることができるため、音声出力の有無、および音声出力方法によって受信動作を多様に制御することができる。
本発明の請求項５に係る受信制御装置は、請求項１乃至請求項４の何れかにおいて、前記受信動作実行手段が、前記受信制御装置に振動を与える装置振動部を有し、前記受信動作情報が、前記通信情報受信手段によって通信情報が受信された際に前記装置振動部によって前記受信制御装置に振動を与える受信動作を表す情報を含む。
【００１０】
この構成により、請求項１乃至請求項４の何れかの効果に加えて、受信動作として受信制御装置に対する振動の付与を変化させることができるため、受信制御装置に対する振動の付与の有無、および受信制御装置に対する振動の付与方法によって受信動作を多様に制御することができる。
本発明の請求項６に係る受信制御装置は、請求項１乃至請求項５の何れかにおいて、前記受信動作実行手段が、前記通信情報受信手段によって受信された通信情報を廃棄する通信情報廃棄部を有し、前記受信動作情報が、前記通信情報受信手段によって受信された通信情報を前記通信情報廃棄部によって廃棄する受信動作を表す情報を含む。
【００１１】
この構成により、請求項１乃至請求項５の何れかの効果に加えて、受信動作として通信情報の廃棄を行うことができるため、利用者を煩わせることなく不要な通信情報を廃棄することができる。
本発明の請求項７に係る受信制御装置は、請求項１乃至請求項６の何れかにおいて、前記受信動作実行手段が、前記アドレス情報取得手段によって取得されたアドレス情報に基づいて返信情報を生成する返信情報生成部と、前記ネットワークを介して前記返信情報を送信する返信情報送信部とを有し、前記受信動作情報が、前記返信情報生成部によって生成された返信情報を前記通信情報送信部によって送信する受信動作を表す情報を含む。
【００１２】
この構成により、請求項１乃至請求項６の何れかの効果に加えて、受信動作として返信情報の送信を行うことができるため、受信の確認や拒否の意等の返信情報を通信相手に利用者を煩わせることなく送信することができる。
本発明の請求項８に係る受信制御装置は、請求項１乃至請求項７の何れかにおいて、前記通信情報受信手段によって受信された通信情報を記憶する１つ以上の通信情報記憶手段を備え、前記受信動作実行手段が、前記通信情報受信手段によって受信された通信情報を記憶する前記通信情報記憶手段を選択する記憶手段選択部を有し、前記受信動作情報が、前記記憶手段選択部によって前記通信情報記憶手段を選択する受信動作を表す情報を含む。
【００１３】
この構成により、請求項１乃至請求項７の何れかの効果に加えて、受信動作として通信情報の振り分けを行うことができるため、通信相手の重要度に応じた通信情報の振り分けを行うことができる。
本発明の請求項９に係る受信制御装置は、請求項１乃至請求項８の何れかにおいて、前記評価値算出手段による評価値の算出が、前記通信情報受信手段によって受信された通信情報が前記利用者によって閲覧されるまでの時間に基づいて行われるようにしている。
この構成により、請求項１乃至請求項８の何れかの効果に加えて、通信情報が受信されてから閲覧されるまでの時間に応じてアドレス情報の登録先を変更するようにしたため、受信した通信情報の重要度に応じて通信相手のアドレス情報を登録することができる。
【００１４】
本発明の請求項１０に係る受信制御装置は、請求項１乃至請求項９の何れかにおいて、前記評価値算出手段による評価値の算出が、前記通信情報受信手段によって受信された通信情報が前記利用者によって参照される前に廃棄されたか否かに基づいて行われるようにしている。
この構成により、請求項１乃至請求項９の何れかの効果に加えて、通信情報が廃棄されたか否かに応じてアドレス情報の登録先を変更するようにしたため、受信した通信情報の重要度に応じて通信相手のアドレス情報を登録することができる。
【００１５】
本発明の請求項１１に係る受信制御装置は、請求項１乃至請求項１０の何れかにおいて、前記評価値算出手段による評価値の算出が、前記通信情報受信手段によって受信された通信情報の通信相手に前記利用者が通信情報を送信したか否かに基づいて行われるようにしている。
この構成により、請求項１乃至請求項１０の何れかの効果に加えて、受信した通信情報に対して利用者が通信情報を送信した否かに応じてアドレス情報の登録先を変更するようにしたため、受信した通信情報の重要度に応じて通信相手のアドレス情報を登録することができる。
【００１６】
本発明の請求項１２に係る受信制御装置は、請求項１乃至請求項１１の何れかにおいて、前記評価値算出手段による評価値の算出が、前記通信情報受信手段による通信情報の受信と、前記通信情報受信手段によって受信された通信情報の通信相手に対する前記利用者による通信情報の送信とのそれぞれの回数に基づいて行われるようにしている。
この構成により、請求項１乃至請求項１１の何れかの効果に加えて、通信相手との通信回数に応じてアドレス情報の登録先を変更することができる。
本発明の請求項１３に係る受信制御装置は、請求項１乃至請求項１２の何れかにおいて、前記評価値算出手段による評価値の算出が、前記通信情報受信手段による通信情報の受信時刻と、前記通信情報受信手段によって受信された通信情報の通信相手に対する前記利用者による通信情報の送信時刻との差分に基づいて行われるようにしている。
【００１７】
この構成により、請求項１乃至請求項１２の何れかの効果に加えて、受信された通信情報に対する利用者の対応時間に応じてアドレス情報の登録先を変更することができる。
本発明の請求項１４に係る受信制御装置は、請求項１乃至請求項１３の何れかにおいて、前記ネットワーク上のサーバ装置に、アドレスリストに登録されたアドレス情報を送信するアドレス情報送受信手段を備えている。
この構成により、請求項１乃至請求項１３の何れかの効果に加えて、サーバ装置において登録されたアドレス情報からの通信情報を遮断できる場合には、登録されたアドレス情報からの通信情報が受信されることがなくなるため、受信制御装置が携帯電話機を構成する場合に電子メール受信時に発生する利用者に対する不必要な課金を防止することができ、さらにネットワークの負荷を軽減することができる。
【００１８】
本発明の請求項１５に係る受信制御装置は、請求項１乃至請求項１４の何れかにおいて、前記ネットワーク上のサーバ装置から、アドレスリストに登録するアドレス情報を受信するアドレス情報送受信手段を備えている。
この構成により、請求項１乃至請求項１４の何れかの効果に加えて、サーバ装置において登録された最新のアドレス情報に、受信制御装置のアドレスリストを更新できる場合には、サーバ装置配下の全ての受信制御装置に統一したアドレス情報の管理が実現できる。
【発明の効果】
【００１９】
本発明は、評価結果を反映した状態を複数持ち、それらの間の遷移を定義することで、アドレス情報に応じて受信動作を設定する手間を要することなく、アドレス情報に応じて受信動作を多様に制御することができる受信制御装置を提供することができる。
【発明を実施するための最良の形態】
【００２０】
以下、本発明の実施の形態について、図面を参照して説明する。図１は、本発明の一実施の形態に係る受信制御装置１００の構成を示すブロック図である。
本発明において、受信制御装置１００は、データの送受信や通話等を行う携帯電話機やパーソナルコンピュータ、電話機、およびファクシミリ装置等の通信端末装置を構成するが、本実施形態では、受信制御装置１００は、電子メールの送受信を行う携帯電話機を構成する場合を例に説明する。
受信制御装置１００は、ネットワークを介した通信相手のアドレス情報が登録された複数のアドレスリストを記憶するアドレスリスト記憶手段１１０と、ネットワークに接続された各装置と通信を行うネットワークインタフェイス１２０と、ネットワークを介して送信された通信情報を受信する通信情報受信手段１２３と、通信情報受信手段１２３によって受信された通信情報を記憶する複数の通信情報記憶手段１２４−ｍ（ｍ＝１，２，…，Ｍ）と、通信情報受信手段１２３によって受信された通信情報からアドレス情報を取得するアドレス情報取得手段１２５と、通信情報受信手段１２３によって通信情報が受信されたときの受信動作を表す受信動作情報をアドレスリストに対応して予め記憶する受信動作情報記憶手段１３０と、アドレス情報取得手段１２５によって取得されたアドレス情報と一致するアドレス情報を含むアドレスリストを検出するアドレスリスト検出手段１３５と、アドレスリスト検出手段１３５によって検出されたアドレスリストに基づいて受信動作情報記憶手段１３０に記憶された受信動作情報を取得する受信動作情報取得手段１３８と、受信動作情報取得手段１３８によって取得された受信動作清報に基づいた受信動作を実行する受信動作実行手段１４０と、を備えている。
【００２１】
アドレスリスト記憶手段１１０は、携帯電話機を構成するハードディスク装置やフラッシュメモリ等の不揮発性の記憶媒体の一部によって構成されており、複数のアドレスリストを記憶している。本発明において、アドレスリスト記憶手段１１０には、２つ以上のアドレスリストが記憶されていればよく、利用者の操作によって、記憶されるアドレスリストの数を増減できるようにしてもよい。また、アドレスリストは、電子メールクライアントソフトウェアにおけるアドレス帳を構成するようにしてもよい。
なお、本実施形態において、アドレスリスト記憶手段１１０には、複数のアドレスリスト、すなわち、ホワイトリスト１１１、グレーリスト１１２−ｎ（ｎ＝１〜３）、およびブラックリスト１１３が記憶されており、各アドレスリストに登録されるアドレス情報は、電子メールアドレスである。なお、アドレスリストを1つのみ用意し、アドレスリスト内にどのグループ（ホワイト、グレー、ブラックなど）に属するのかを示す識別子を記憶しておく方法もあり得る。また、アドレス情報は、受信制御装置１００を構成する機器に応じて電子メールアドレスの他に、電話番号やＳＩＰ−ＵＲＩ（Ｕｎｉｆｏｒｍ  Ｒｅｓｏｕｒｃｅ  Ｉｄｅｎｔｉｆｉｅｒ）等が適用できる。
【００２２】
ネットワークインタフェイス１２０は、携帯電話機を構成する通信回路によって構成され、ネットワークに接続された各装置と無線で通信を行うようになっている。ネットワークインタフェイス１２０を介して通信相手より送信された通信情報、すなわち電子メールは、通信情報受信手段１２３によって受信されるようになっている。
各通信情報記憶手段１２４−ｍは、携帯電話機を構成するハードディスク装置やフラッシュメモリ等の不揮発性の記憶媒体の一部によって構成され、通信情報受信手段１２３によって受信された通信情報を記憶するようになっている。ここで、各通信情報記憶手段１２４−ｍは、例えば、電子メールクライアントソフトウェアにおけるメールフォルダを構成する。
【００２３】
アドレス情報取得手段１２５は、通信情報受信手段１２３によって受信された電子メールからアドレス情報、すなわち電子メールの送信元の電子メールアドレスを取得するようになっている。
受信動作情報記憶手段１３０は、携帯電話機を構成するハードディスク装置やフラッシュメモリ等の不揮発性の記憶媒体の一部によって構成され、電子メールが通信情報受信手段１２３によって受信されたときの受信動作を表す受信動作情報がアドレスリストに対応して予め記憶されている。ここで、受信動作には、通信情報受信手段１２３によって受信された電子メールに関する情報の画像表示、電子メールが受信された旨の音声出力、および、電子メールが受信された際の受信制御装置１００に対する振動の付与等の利用者に対する通知動作や、受信した電子メールの廃棄や分類、および通信相手に対する電子メールの自動返信等の電子メール処理動作等がある。
【００２４】
図２は、受信動作情報記憶手段１３０に記憶される受信動作情報を説明するための表である。ここでは、説明を簡単にするために、受信動作として電子メールが受信された旨の音声出力、画像出力、および受信した電子メールの廃棄の３つの受信動作があるものとしている。
図２に示した例では、電子メールアドレスがホワイトリスト１１１に登録されている通信相手より送信された電子メールが通信情報受信手段１２３によって受信された時に携帯電話機を構成するハードディスク装置やフラッシュメモリ等の不揮発性の記憶媒体の一部より「音楽出力」に示される音楽情報を取得して音楽を出力し、事前に登録された画像あるいは相手より送信された画像を表示するようになっている。また、電子メールアドレスがグレーリスト１１２−１に登録されている通信相手より送信された電子メールが通信情報受信手段１２３によって受信された時には、携帯電話機を構成するハードディスク装置やフラッシュメモリ等の不揮発性の記憶媒体の一部より「ベル音出力」に示される音声情報を取得してベル音を出力し、相手名を表示するようになっている。また、電子メールアドレスがグレーリスト１１２−２に登録されている通信相手より送信された電子メールが通信情報受信手段１２３によって受信された時には、音声出力を行わず相手のアドレスを表示するようになっている。また、電子メールアドレスがグレーリスト１１２−３に登録されている通信相手より送信された電子メールが通信情報受信手段１２３によって受信された時には、受信の通知を行わないようになっている。さらに、電子メールアドレスがブラックリスト１１３に登録されている通信相手より送信された電子メールが通信情報受信手段１２３によって受信された時は、受信された電子メールを廃棄するようになっている。
【００２５】
図１に戻り、アドレスリスト検出手段１３５は、アドレス情報取得手段１２５によって取得されたアドレス情報と一致するアドレス情報を含むアドレスリストを検出するようになっており、受信動作情報取得手段１３８は、アドレスリスト検出手段１３５によって検出されたアドレスリストに基づいて受信動作情報記憶手段１３０に記憶された受信動作情報を取得するようになっている。
受信動作実行手段１４０は、受信動作情報取得手段１３８によって取得された受信動作情報に基づいた受信動作を実行するようになっており、受信動作情報記憶手段１３０に記憶される受信動作情報に対応する受信動作を実行するための各構成要素を有している。
【００２６】
図３は、受信動作実行手段１４０の構成の例を示すブロック図である。画像表示部１４１は、携帯電話機を構成する液晶ディスプレイ等の表示装置によって構成され、画像を表示するようになっており、画像表示の有無、および画像表示方法によって多様な受信動作を実行できるようになっている。
音声出力部１４２は、携帯電話機を構成するスピーカ装置によって構成され、音声を出力するようになっており、音声出力の有無、および音声出力方法によって多様な受信動作を実行できるようになっている。
【００２７】
装置振動部１４３は、携帯電話機を構成し携帯電話機を振動させるモータによって構成され、受信制御装置１００に振動を与え、受信制御装置１００に対する振動の付与方法によって多様な受信動作を実行できるようになっている。
通信情報廃棄部１４４は、通信情報受信手段１２３によって受信された通信情報を廃棄するようになっており、利用者を煩わせることなく不要な電子メールを廃棄できるようになっている。
返信情報生成部１４５は、アドレス情報取得手段１２５によって取得されたアドレス情報に基づいて返信情報を生成するようになっており、返信情報送信部１４６は、返信情報生成部１４５によって生成された返信情報をネットワークインタフェイス１２０を介して送信するようになっており、受信の確認や拒否の意等を表す返信情報を通信相手に利用者を煩わせることなく送信できるようになっている。
【００２８】
記憶手段選択部１４７は、通信情報受信手段１２３によって受信された通信情報の記憶先、すなわち通信情報記憶手段１２４−ｍを選択するようになっており、アドレスリストに応じた電子メールの振り分けができるようになっている。
図１に戻り、受信制御装置１００は、受信制御装置１００に対する命令を利用者に入力させる入力手段１５０と、通信情報受信手段１２３による通信情報の受信に応じた利用者による操作に基づいてアドレス情報取得手段１２５によって取得されたアドレス情報に対する評価値を算出する評価値算出手段１６０と、評価値算出手段１６０によって算出された評価値をアドレス情報と対応させて累積して記憶する評価値記憶手段１６５と、評価値記憶手段１６５に記憶された評価値に基づいてアドレスリストに登録されたアドレス情報の登録先を変更するアドレス情報登録変更手段１６８と、をさらに備えている。
【００２９】
入力手段１５０は、携帯電話機を構成する入力キーやポインティング装置、マイク、カメラ等によって構成され、受信制御装置１００に対する命令を利用者に入力させるようになっている。ここで、受信制御装置１００に対する命令とは、通信情報受信手段１２３によって受信された電子メールを廃棄する命令、通信情報記憶手段１２４に記憶させる命令、通信情報受信手段１２３によって受信された電子メールを閲覧する命令、および、通信情報受信手段１２３によって受信された電子メールに対して返信する命令等のネットワークインタフェイス１２０を介して送受信される電子メールに対する命令が含まれる。
【００３０】
イベント記憶手段１５５は、受信、送信、閲覧、消去などの操作（以下、「イベント」という。）を時刻情報とともに記憶しておくために備えられている。
評価値算出手段１６０は、受信動作実行手段１４０によって実行された受信動作に応じて入力手段１５０を介して入力された命令等に基づいて、アドレス情報取得手段１２５によって取得されたアドレス情報に対する評価値を算出するようになっている。ここで、評価値は、実数よりなる数値で表される。
評価値算出手段１６０による評価値の算出は、イベント記憶手段１５５に記憶された時刻情報を含むイベント情報から求められる少なくとも１つ以上の予め定められたパラメータを用いて行う。具体的なパラメータとしては、通信情報受信手段１２３によって受信された電子メールが利用者によって閲覧されるまでの時間（ｐ１）、通信情報受信手段１２３によって受信された電子メールが利用者によって閲覧前に廃棄されたか否か（ｐ２）、通信情報受信手段１２３によって受信された電子メールの通信相手に利用者が電子メールを送信したか否か（ｐ３）、通信情報受信手段１２３による通信情報の受信回数に対する当該通信相手への利用者による通信情報の送信回数の割合（ｐ４）、および通信情報受信手段１２３による通信情報の受信時刻と当該通信相手への利用者による通信情報の送信時刻との差分（ｐ５）等がある。
【００３１】
図４は、過去の評価結果から定まるアドレス情報が属するリストとその遷移を表す遷移図の例である。リストは前述のようにアドレスリスト記憶手段１１０に記憶されており、リストの遷移は評価値から決定される。具体的に、上記のｐ１〜３を用いて遷移の例を示す。パラメータをベクトル（ｐ１，ｐ２，ｐ３）とすると、評価結果Ｐは、
Ｐ＝ｗ１×ｐ１＋ｗ２×ｐ２＋ｗ３×ｐ３
と表現でき、Ｐが小さいほど重要な（利用者にとって大切な）アドレスである。
ただし、ｗ１〜３は各パラメータの重み、ｐ１は閲覧までの時間を示す実数（時間）、ｐ２は０（未廃棄）または１（廃棄）の値、ｐ３は０（返信）または１（未返信）の値とする。ここで、閾値ｒｘｙを定め、例えば、グレーリスト１１２−２からの遷移の条件として、
Ｐ＜ｒ２１ならばａ２１、ｒ２１≦Ｐ≦ｒ２２ならばａ２２、Ｐ＞ｒ２２ならばａ２３
のように条件を決めることでアドレスが属するリストが遷移する。ところで、上記の例では評価結果Ｐの値の範囲によってアドレスが属するリストが決定されたが、各パラメータを入力とした条件分岐等の手順によりアドレスが属するリストが決定されてもよい。なお、ホワイトリストへの登録は、アドレス情報がグレーリスト１１２−１へ遷移した際に、利用者に確認のメッセージを表示するなど、利用者の判断を反映させて行う。逆に、ホワイトリストからの削除は、アドレス情報がグレーリスト１１２−１からグレーリスト１１２−２へ遷移した際に、利用者に確認のメッセージを表示するなど、利用者の判断を反映させて行う。また、ブラックリストへの登録、削除も同様にグレーリスト１１２−３へ遷移した際、グレーリスト１１２−３から遷移した際に、利用者に確認のメッセージを表示するなど、利用者の判断を反映させて行う。したがって、状態遷移で利用者の確認を行う場合には、アドレス情報が複数のリスト（例えばホワイトリストとグレーリスト１１２−１の両方）に同時に属することもあり得る。
【００３２】
グレーリスト１１２−ｎが複数あるのは、これらのリスト間を遷移させながらホワイトリスト１１１に登録するアドレス情報とブラックリスト１１３に登録させるべきアドレス情報とを識別するためである。グレーリスト１１２−１はホワイトリスト１１１に登録させるアドレス情報の候補を示すリスト、グレーリスト１１２−２は初期リスト、グレーリスト１１２−３はブラックリスト１１３に登録させるアドレス情報の候補を示すリストである。
このようにリストを複数持ち、それらの間の遷移を定義することで、受信した通信情報に対する柔軟な制御が可能となっている。すなわち、相手のアドレスについて、ユーザの操作履歴、通信情報の送受信履歴などの情報（イベント情報）から、利用者が行う明示的な事前設定とは独立に、暗黙かつ自動的なクラス分けを行い、同時に存在する明示的な指示を表すホワイトリストやブラックリストにフィードバックする仕組みを持てることが特徴である。また、中間的なアドレスリスト（複数のグレーリストに相当）とそのリスト間の遷移により、利用者による明示的な指示を最小限にとどめることができる。なお、明示的な指示を表すホワイトリストやブラックリストが無い場合は、全て自動的な設定となる。
【００３３】
ここで、通信情報受信手段１２３によって受信された電子メールと利用者によって送信される電子メールとの対応をとるために、評価値算出手段１６０は、通信情報受信手段１２３によって受信された電子メールに対して識別情報を割り当てるようにしてもよい。
評価値算出手段１６０は、上記で説明したように算出した評価値を電子メールアドレスと対応させて評価値記憶手段１６５に記憶するようになっている。評価値記憶手段１６５は、携帯電話機を構成するハードディスク装置やフラッシュメモリ等の不揮発性の記憶媒体の一部によって構成され、電子メールアドレスと評価値算出手段１６０によって算出された評価値とを対応させて記憶するようになっている。
【００３４】
なお、アドレスリスト記憶手段１１０において、アドレスリストを構成する電子メールアドレスと対応させて評価値算出手段１６０によって算出された評価値を記憶するようにしてもよい。この場合には、評価値記憶手段１６５を受信制御装置１００の構成から除くことができる。
アドレス情報登録変更手段１６８は、評価値記憶手段１６５に記憶された評価値に基づいてアドレスリストに登録された電子メールアドレスの登録先を変更するようになっている。
【００３５】
具体的には、アドレス情報登録変更手段１６８は、各アドレスリストに対する評価値の範囲を記憶しておき、新たに評価値算出手段１６０によって算出されて評価値記憶手段１６５に記憶された評価値が、各アドレスリストに対する評価値の範囲内に入っているか否かに基づいて、対応する電子メールアドレスの登録先のアドレスリストを選択するようになっている。アドレス情報登録変更手段１６８は、対応する電子メールアドレスの登録元のアドレスリストが、選択したアドレスリストと異なる場合には、対応する電子メールアドレスの登録元のアドレスリストから対応する電子メールアドレスを除き、対応する電子メールアドレスを選択したアドレスリストに登録するようになっている。
【００３６】
なお、アドレス情報登録変更手段１６８は、電子メールアドレスの登録先を変更する場合には、携帯電話機を構成する液晶ディスプレイ等の表示装置を介して確認のメッセージを表示したり、入力手段１５０を介して電子メールアドレスの登録先を変更の可否を利用者に入力させたりするようにしてもよい。
また、アドレス情報登録変更手段１６８は、アドレスリスト検出手段１３５によってアドレスリストが検出されなかった場合に、アドレスリスト記憶手段１１０に記憶されたアドレスリストのうち予め定められたアドレスリストにアドレス情報取得手段１２５によって取得された電子メールアドレスを登録するようになっている。本実施形態において、予め定められたアドレスリストは、グレーリスト１１２−２とする。
【００３７】
受信制御装置１００は、ネットワーク上のサーバ装置に、予め定められたアドレスリストに登録されたアドレス情報を送信するアドレス情報送受信手段１７０をさらに備えている。本実施形態において、予め定められたアドレスリストはブラックリスト１１３とする。
サーバ装置において登録された電子メールアドレスからの電子メールを、電子メールを中継する中継装置で拒否できる場合には、アドレス情報送受信手段１７０によって送信された電子メールアドレスを伴って送信された電子メールが受信されることがなくなるため、電子メール受信時に発生する、利用者に対する不必要な課金を防止することができ、さらにネットワークの負荷を軽減することができる。
【００３８】
また、サーバ装置においてアドレスリストの情報を保持、更新する場合には、アドレス情報送受信手段１７０によって、サーバ装置内のアドレスリストの情報を受信し、アドレスリスト記憶手段１１０の情報を変更する。このようにすることで、例えば、サーバ装置配下の受信制御装置１００で共通のブラックリストを保持することができる。
以下に、受信制御装置１００の動作を説明する。
図５は、受信制御装置１００の通信情報受信動作を示すフローチャートである。まず、ネットワークインタフェイス１２０を介して電子メールが通信情報受信手段１２３によって受信されると（Ｓ１１０）、アドレス情報取得手段１２５によって通信情報受信手段１２３によって受信された電子メールの送信元の電子メールアドレスが取得される（Ｓ１２０）。
【００３９】
次に、アドレス情報取得手段１２５によって取得された電子メールアドレスと一致する電子メールアドレスを含むアドレスリストがアドレスリスト検出手段１３５によって検出される（Ｓ１３０）。
アドレスリスト検出手段１３５によってアドレスリストが検出されなかった場合には、アドレス情報登録変更手段１６８によってアドレスリスト記憶手段１１０に記憶されているグレーリスト１１２−２にアドレス情報取得手段１２５によって取得された電子メールアドレスが登録され、受信動作を決めるためのアドレスリストとしてグレーリスト１１２−２が選択される（Ｓ１４０）。
【００４０】
一方、アドレスリスト検出手段１３５によってアドレスリストが検出された場合には、検出されたアドレスリストに基づいて受信動作情報記憶手段１３０に記憶された受信動作情報が受信動作情報取得手段１３８によって取得され（Ｓ１５０）、受信動作情報取得手段１３８によって取得された受信動作情報に基づいた受信動作が受信動作実行手段１４０によって実行される（Ｓ１６０）。なお、複数のアドレスリストが同時に検出された場合には、アドレスリストとアドレスリストに対応する受信動作の組に対して、事前に設定されたアドレスリストあるいは受信動作に関する優先順位にしたがって受信動作の集合が選択された後、順序付けされ実行される。
【００４１】
図６は、受信制御装置１００のアドレス情報登録変更動作を示すフローチャートである。まず、受信動作実行手段１４０によって実行された受信動作に応じて、利用者によって入力手段１５０を介して受信制御装置１００に対する命令が入力されると（Ｓ２１０）、入力手段１５０を介して入力された命令に基づいて、アドレス情報取得手段１２５によって取得されたアドレス情報に対する評価値が、評価値算出手段１６０によって算出される（Ｓ２２０）。
次に、評価値算出手段１６０によって算出された評価値が、電子メールアドレスと対応して評価値算出手段１６０によって評価値記憶手段１６５に記憶される（Ｓ２３０）。
【００４２】
次に、評価値記憶手段１６５に記憶された評価値に基づいてアドレスリストに登録された電子メールアドレスの登録先がアドレス情報登録変更手段１６８によって変更される（Ｓ２４０）。
アドレス情報の登録元もしくは登録先の何れか一方がグレーリスト１１２−３の場合には（Ｓ２４２）、それぞれ当該アドレス情報をブラックリスト１１３から抹消または登録するか否かを利用者に確認し（Ｓ２４４）、その結果ブラックリストが更新された場合には（Ｓ２５０）、ブラックリストから抹消または登録された電子メールアドレスが、アドレス情報送受信手段１７０によってネットワークインタフェイス１２０を介してサーバ装置に送信される（Ｓ２６０）。
【００４３】
一方、アドレス情報の登録元もしくは登録先の何れか一方がグレーリスト１１２−１である場合には（Ｓ２４６）、それぞれ当該アドレス情報のホワイトリスト１１１からの抹消または登録を、利用者への確認に基づき実行する（Ｓ２４８）。
以上で説明した、受信制御装置１００を構成する各構成要素は、上記で説明した各動作を記述したプログラムを携帯電話機を構成する中央処理装置（Ｃｅｎｔｒａｌ  Ｐｒｏｃｅｓｓｉｎｇ  Ｕｎｉｔ、以下「ＣＰＵ」という。）に実行させるようにしてもよい。すなわち、通信情報受信手段１２３と、アドレス情報取得手段１２５と、アドレスリスト検出手段１３５と、受信動作情報取得手段１３８と、受信動作実行手段１４０と、評価値算出手段１６０と、アドレス情報登録変更手段１６８と、アドレス情報送受信手段１７０とは、上記プログラムを実行するＣＰＵによって構成するようにしてもよい。
【００４４】
以上説明したように、受信制御装置１００によれば、アドレスリストに対応して受信動作を予め記憶しておき、受信した通信情報に対する利用者による操作に基づいてアドレス情報の登録先を変更するため、アドレス情報に応じて受信動作を設定する手間を要することなく、アドレス情報に応じて受信動作を多様に制御することができる。
【図面の簡単な説明】
【００４５】
【図１】本発明の一実施の形態に係る受信制御装置の構成を示すブロック図である。
【図２】本発明の一実施の形態に係る受信動作情報記憶手段に記憶される受信動作情報を説明するための表である。
【図３】本発明の一実施の形態に係る受信動作実行手段の構成の例を示すブロック図である。
【図４】本発明の一実施の形態に係るアドレス情報を登録するアドレスリスト間の遷移図例である。
【図５】本発明の一実施の形態に係る受信制御装置の通信情報受信動作を示すフローチャートである。
【図６】本発明の一実施の形態に係る受信制御装置のアドレス情報登録変更動作を示すフローチャートである。
【図１】
2006185382.tif 000003
【図２】
2006185382.tif 000004
【図３】
2006185382.tif 000005
【図４】
2006185382.tif 000006
【図５】
2006185382.tif 000007
【図６】
2006185382.tif 000008